(57)【要約】持続的スケジューリング変更情報を伝送及び受信する方法及びそのための装置が開示される。本発明に係る無線通信システムにおいて持続的スケジューリング（ｐｅｒｓｉｓｔｅｎｔ  ｓｃｈｅｄｕｌｉｎｇ）変更情報を受信するＭ２Ｍ（Ｍａｃｈｉｎｅ−ｔｏ−Ｍａｃｈｉｎｅ）機器は、基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信する受信器を備え、前記割当周期情報が特定値に設定された場合には、前記Ｍ２Ｍ機器のための上りリンク持続的割当の一時的変更又は１回再割当を指示し、前記割当周期情報が前記Ｍ２Ｍ機器のための上りリンク持続的割当の一時的変更又は１回再割当を指示する場合に、前記メッセージは、変更されたリソース割当情報をさらに含むことができる。【選択図】図２
2014534728.tif 000002
【特許請求の範囲】
【請求項１】
無線通信システムにおいて基地局が持続的スケジューリング（ｐｅｒｓｉｓｔｅｎｔ  ｓｃｈｅｄｕｌｉｎｇ）変更情報を伝送する方法であって、
Ｍ２Ｍ（Ｍａｃｈｉｎｅ−ｔｏ−Ｍａｃｈｉｎｅ）機器に対する持続的割当周期（ｐｅｒｓｉｓｔｅｎｔ  ａｌｌｏｃａｔｉｏｎ  ｐｅｒｉｏｄ）を含む割当周期情報を含んでいるメッセージを前記Ｍ２Ｍ機器に伝送することを具備し、
前記割当周期情報が特定値に設定された場合は、前記Ｍ２Ｍ機器のための上りリンク持続的割当の一時的変更又は１回再割当を指示し、
前記割当周期情報が前記Ｍ２Ｍ機器のための上りリンク持続的割当の一時的変更又は１回再割当を指示する場合に、前記メッセージは、変更されたリソース割当情報をさらに含むことを特徴とする、持続的スケジューリング変更情報伝送方法。
【請求項２】
前記設定された特定値は、０ｂ１１１１であることを特徴とする、請求項１に記載の持続的スケジューリング変更情報伝送方法。
【請求項３】
前記メッセージは、上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）タイプであることを特徴とする、請求項１に記載の持続的スケジューリング変更情報伝送方法。
【請求項４】
前記変更されたリソース割当情報が指示するリソースを用いて前記Ｍ２Ｍ機器から上りリンクデータを受信することをさらに具備することを特徴とする、請求項１に記載の持続的スケジューリング変更情報伝送方法。
【請求項５】
前記変更されたリソースを用いて前記Ｍ２Ｍ機器から上りリンクデータを受信した後、以降の周期からは、前記メッセージ受信以前に割り当てた持続的割当リソースを用いて上りリンクデータを受信することをさらに具備する、請求項４に記載の持続的スケジューリング変更情報伝送方法。
【請求項６】
前記変更されたリソースは、前記メッセージが伝送されるサブフレームと同じサブフレームに対して既存に持続的割り当てられたリソースを一時的又は１回代替することを特徴とする、請求項１に記載の持続的スケジューリング変更情報伝送方法。
【請求項７】
無線通信システムにおいてＭ２Ｍ（Ｍａｃｈｉｎｅ−ｔｏ−Ｍａｃｈｉｎｅ）機器が持続的スケジューリング（ｐｅｒｓｉｓｔｅｎｔ  ｓｃｈｅｄｕｌｉｎｇ）変更情報を受信する方法であって、
基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信することを具備し、
前記割当周期情報が特定値に設定された場合は、前記Ｍ２Ｍ機器のための上りリンク持続的割当の一時的変更又は１回再割当を指示し、
前記割当周期情報が前記Ｍ２Ｍ機器のための上りリンク持続的割当の一時的変更又は１回再割当を指示する場合に、前記メッセージは、変更されたリソース割当情報をさらに含むことを特徴とする、持続的スケジューリング変更情報受信方法。
【請求項８】
前記設定された特定値は、０ｂ１１１１であることを特徴とする、請求項７に記載の持続的スケジューリング変更情報受信方法。
【請求項９】
前記メッセージは、上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）タイプであることを特徴とする、請求項７に記載の持続的スケジューリング変更情報受信方法。
【請求項１０】
前記変更されたリソース割当情報が指示するリソースを用いて前記基地局に上りリンクデータを伝送することをさらに具備することを特徴とする、請求項７に記載の持続的スケジューリング変更情報受信方法。
【請求項１１】
前記変更されたリソースを用いて前記基地局に上りリンクデータを伝送した後、以降の周期からは、前記メッセージ受信以前に割り当てられた持続的割当リソースを用いて上りリンクデータを伝送することをさらに具備する、請求項１０に記載の持続的スケジューリング変更情報受信方法。
【請求項１２】
前記変更されたリソースは、前記メッセージを受信したサブフレームと同じサブフレームに対して既存に持続的割り当てられたリソースを一時的又は１回代替することを特徴とする、請求項１１に記載の持続的スケジューリング変更情報受信方法。
【請求項１３】
無線通信システムにおいて持続的スケジューリング（ｐｅｒｓｉｓｔｅｎｔ  ｓｃｈｅｄｕｌｉｎｇ）変更情報を受信するＭ２Ｍ（Ｍａｃｈｉｎｅ−ｔｏ−Ｍａｃｈｉｎｅ）機器であって、
基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信する受信器を備え、
前記割当周期情報が特定値に設定された場合は、前記Ｍ２Ｍ機器のための上りリンク持続的割当の一時的変更又は１回再割当を指示し、
前記割当周期情報が前記Ｍ２Ｍ機器のための上りリンク持続的割当の一時的変更又は１回再割当を指示する場合に、前記メッセージは、変更されたリソース割当情報をさらに含むことを特徴とする、Ｍ２Ｍ機器。
【請求項１４】
前記変更されたリソース割当情報が指示するリソースを用いて前記基地局に上りリンクデータを伝送する送信器をさらに備えることを特徴とする、請求項１３に記載のＭ２Ｍ機器。
【請求項１５】
前記プロセッサは、前記送信器が前記変更されたリソースを用いて前記基地局に上りリンクデータを伝送した以降の周期からは、前記メッセージ受信以前に割り当てられた持続的割当リソースを用いて上りリンクデータを伝送するように制御し、
前記送信器は、前記上りリンクデータを伝送した以降の周期からは、前記メッセージ受信以前に割り当てられた持続的割当リソースを用いて上りリンクデータを伝送する、請求項１４に記載のＭ２Ｍ機器。
【発明の詳細な説明】
【技術分野】
【０００１】
本発明は、無線通信に係り、特に、持続的スケジューリング変更情報を伝送及び受信する方法及びそのための装置に関する。
【背景技術】
【０００２】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置間の有線或いは無線通信や、人間が制御する装置と機械間の通信のことを意味する。しかし、最近では、電子装置と電子装置間、すなわち、人間が介入することなく行われる機器間無線通信を指すのが一般的である。
【０００３】
Ｍ２Ｍ通信は、その概念が初めて導入された１９９０年代初期には、遠隔調整やテレマティックス程度の概念として認識されたし、派生する市場自体も非常に限定されていたが、ここ数年間高速成長を重ねながら、全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野で大きな影響力を発揮してきた。将来のＭ２Ｍ通信は、既存の移動通信及び無線超高速インターネットやＷｉ−Ｆｉ及びＺｉｇｂｅｅ（登録商標）などの小出力通信ソリューションと連係してより多様な用途に活用されることから、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００４】
Ｍ２Ｍ通信時代には、ＳＩＭ（Ｓｕｂｓｃｒｉｂｅｒ  Ｉｄｅｎｔｉｔｙ  Ｍｏｄｕｌｅ）カードを装着したいかなる機械もデータ送受信が可能になり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００５】
従来では、端末を個別単位に管理するのが一般的であり、基地局と端末間の通信は一対一通信方式で行われていた。このような一対一通信方式で数多くのＭ２Ｍ機器が基地局と通信するとすれば、各Ｍ２Ｍ機器と基地局間に発生するシグナリングによるネットワーク過負荷が予想される。上述したように、Ｍ２Ｍ通信が急に拡散され広範囲化する場合、それらＭ２Ｍ機器同士間、又は各Ｍ２Ｍ機器と基地局間の通信によるオーバーヘッド（ｏｖｅｒｈｅａｄ）が問題になることがある。
【０００６】
Ｍ２Ｍ機器が導入される前には、端末に対する基地局の上りリンク持続的スケジューリング情報に関する内容は規定されていた。しかし、現在は、Ｍ２Ｍ機器の特性を考慮した上りリンク持続的スケジューリング情報に関する内容の規定の導入が必要であり、このような導入によって特定時点に長い周期持続的スケジューリングによって割り当てられたリソース領域が既存の端末トラフィックにより占有されるとき、衝突が発生したり、基地局のスケジューリングの複雑度が増加したり、リソースホールが発生するなどの重大な問題が予想されるが、これに対する具体的解決策は未だ提示されていない現状である。
【発明の概要】
【発明が解決しようとする課題】
【０００７】
本発明が達成しようとする技術的課題は、無線通信システムにおいて基地局が持続的スケジューリング（ｐｅｒｓｉｓｔｅｎｔ  ｓｃｈｅｄｕｌｉｎｇ）変更情報を伝送する方法を提供することにある。
【０００８】
本発明が達成しようとする他の技術的課題は、無線通信システムにおいてＭ２Ｍ機器が持続的スケジューリング変更情報を受信する方法を提供することにある。
【０００９】
本発明が達成しようとするさらに他の技術的課題は、無線通信システムにおいて持続的スケジューリング変更情報を伝送する基地局装置を提供することにある。
【００１０】
本発明が達成しようとするさらに他の技術的課題は、無線通信システムにおいて持続的スケジューリング変更情報を受信するＭ２Ｍ機器を提供することにある。
【００１１】
本発明で達成しようとする技術的課題は、以上に言及した技術的課題に制限されるものではなく、言及していない他の技術的課題は、下の記載から、本発明の属する技術の分野における通常の知識を有する者には明らかになるであろう。
【課題を解決するための手段】
【００１２】
上記の技術的課題を達成するための、本発明に係る無線通信システムにおいて基地局が持続的スケジューリング（ｐｅｒｓｉｓｔｅｎｔ  ｓｃｈｅｄｕｌｉｎｇ）変更情報を伝送する方法は、Ｍ２Ｍ（Ｍａｃｈｉｎｅ−ｔｏ−Ｍａｃｈｉｎｅ）機器に対する持続的割当周期（ｐｅｒｓｉｓｔｅｎｔ  ａｌｌｏｃａｔｉｏｎ  ｐｅｒｉｏｄ）を含む割当周期情報を含んでいるメッセージを前記Ｍ２Ｍ機器に伝送することを具備し、前記割当周期情報が特定値に設定された場合は、前記Ｍ２Ｍ機器のための上りリンク持続的割当の一時的変更又は１回再割当を指示し、前記割当周期情報が前記Ｍ２Ｍ機器のための上りリンク持続的割当の一時的変更又は１回再割当を指示する場合に、前記メッセージは、変更されたリソース割当情報をさらに含むことを特徴とする。前記設定された特定値は０ｂ１１１１であってよく、前記メッセージは、上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）タイプであってよい。前記方法は、前記変更されたリソース割当情報が指示するリソースを用いて前記Ｍ２Ｍ機器から上りリンクデータを受信することをさらに具備することができ、前記変更されたリソースを用いて前記Ｍ２Ｍ機器から上りリンクデータを受信した後、以降の周期からは、前記メッセージ受信以前に割り当てられた持続的割当リソースを用いて上りリンクデータを受信することをさらに具備することができる。前記変更されたリソースは、前記メッセージが伝送されるサブフレームと同じサブフレームに対して既存に持続的割り当てられたリソースを一時的又は１回代替するものであってよい。
【００１３】
上記の他の技術的課題を達成するための、本発明に係るＭ２Ｍ（Ｍａｃｈｉｎｅ−ｔｏ−Ｍａｃｈｉｎｅ）機器が持続的スケジューリング（ｐｅｒｓｉｓｔｅｎｔ  ｓｃｈｅｄｕｌｉｎｇ）変更情報を受信する方法は、基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信することを具備し、前記割当周期情報が特定値に設定された場合は、前記Ｍ２Ｍ機器のための上りリンク持続的割当の一時的変更又は１回再割当を指示し、前記割当周期情報が前記Ｍ２Ｍ機器のための上りリンク持続的割当の一時的変更又は１回再割当を指示する場合に、前記メッセージは、変更されたリソース割当情報をさらに含むことができる。前記設定された特定値は、０ｂ１１１１であってよい。前記メッセージは、上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）タイプであってよい。前記方法は、前記変更されたリソース割当情報が指示するリソースを用いて前記基地局に上りリンクデータを伝送することをさらに具備することができ、前記変更されたリソースを用いて前記基地局に上りリンクデータを伝送した後、以降の周期からは、前記メッセージ受信以前に割り当てられた持続的割当リソースを用いて上りリンクデータを伝送することをさらに具備することができる。前記変更されたリソースは、前記メッセージを受信したサブフレームと同じサブフレームに対して既存に持続的割り当てられたリソースを一時的又は１回代替するものであってよい。
【００１４】
上記のさらに他の技術的課題を達成するための、本発明に係る無線通信システムにおいて持続的スケジューリング（ｐｅｒｓｉｓｔｅｎｔ  ｓｃｈｅｄｕｌｉｎｇ）変更情報を伝送する基地局は、Ｍ２Ｍ（Ｍａｃｈｉｎｅ−ｔｏ−Ｍａｃｈｉｎｅ）機器に対する持続的割当周期（ｐｅｒｓｉｓｔｅｎｔ  ａｌｌｏｃａｔｉｏｎ  ｐｅｒｉｏｄ）を含む割当周期情報を含んでいるメッセージを前記Ｍ２Ｍ機器に伝送する送信器を備え、前記割当周期情報が特定値に設定された場合は、前記Ｍ２Ｍ機器のための上りリンク持続的割当の一時的変更又は１回再割当を指示し、前記割当周期情報が前記Ｍ２Ｍ機器のための上りリンク持続的割当の一時的変更又は１回再割当を指示する場合に、前記メッセージは、変更されたリソース割当情報をさらに含むことができる。
【００１５】
前記基地局は、前記変更されたリソース割当情報が指示するリソースを用いて前記Ｍ２Ｍ機器から上りリンクデータを受信する受信器をさらに備えることができ、前記受信器は、変更されたリソースを用いて前記Ｍ２Ｍ機器から上りリンクデータを受信した以降の周期からは、前記メッセージ伝送以前に割り当てた持続的割当リソースを用いて上りリンクデータを受信することができる。
【００１６】
上記のさらに他の技術的課題を達成するための、本発明に係る無線通信システムにおいて持続的スケジューリング（ｐｅｒｓｉｓｔｅｎｔ  ｓｃｈｅｄｕｌｉｎｇ）変更情報を受信するＭ２Ｍ（Ｍａｃｈｉｎｅ−ｔｏ−Ｍａｃｈｉｎｅ）機器は、基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信する受信器を備え、前記割当周期情報が特定値に設定された場合は、前記Ｍ２Ｍ機器のための上りリンク持続的割当の一時的変更又は１回再割当を指示し、前記割当周期情報が前記Ｍ２Ｍ機器のための上りリンク持続的割当の一時的変更又は１回再割当を指示する場合に、前記メッセージは、変更されたリソース割当情報をさらに含むことができる。前記Ｍ２Ｍ機器は、前記変更されたリソース割当情報が指示するリソースを用いて前記基地局に上りリンクデータを伝送する送信器をさらに具備することができ、前記送信器が前記変更されたリソースを用いて前記基地局に上りリンクデータを伝送した以降の周期からは、前記メッセージ受信以前に割り当てられた持続的割当リソースを用いて上りリンクデータを伝送するように制御するプロセッサをさらに備えることができ、前記送信器は、前記上りリンクデータを伝送した以降の周期からは、前記メッセージ受信以前に割り当てられた持続的割当リソースを用いて上りリンクデータを伝送する。
【発明の効果】
【００１７】
本発明の様々な実施例によれば、特定時点に長い周期持続的スケジューリングによって割り当てられたリソース領域が既存の端末トラフィックによって占有されるとき、基地局は当該位置を效率的に１回又は一時的に何回か変えることによって、スケジューリングの複雑度を減らし、リソースホールが発生することを防止することが可能になる。
【００１８】
また、Ｍ２Ｍ機器は、このような基地局のスケジューリングによって上りリンクデータを伝送することによって、通信性能の向上を図ることが可能になる。
【００１９】
本発明から得られる効果は、以上に言及した効果に制限されず、言及していない別の効果は、下の記載から、本発明の属する技術の分野における通常の知識を有する者には明らかになるであろう。
【図面の簡単な説明】
【００２０】
本発明に関する理解を助けるために詳細な説明の一部として含まれる添付図面は、本発明に係る実施例を提供し、詳細な説明と共に本発明の技術的思想を説明する。
【図１】本発明の一実施形態に係るＭ２Ｍ機器及び基地局などの装置構成を概略的に説明するための図である。
【図２】本発明の第１実施例によって、端末が、長い周期持続的スケジューリングによって割り当てられたリソースに変更がある場合に、上りリンクデータを伝送する方法を説明するための図である。
【図３】本発明の第２実施例によって、Ｍ２Ｍ機器が、長い周期持続的スケジューリングによって割り当てられたリソースに変更がある場合に、上りリンクデータを伝送する方法を説明するための図である。
【発明を実施するための形態】
【００２１】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システム、３ＧＰＰ（３ｒｄ  Ｇｅｎｅｒａｔｉｏｎ  Ｐａｒｔｎｅｒｓｈｉｐ  Ｐｒｏｊｅｃｔ）である場合を取り上げて具体的に説明するが、ＩＥＥＥ  ８０２．１６システム、３ＧＰＰ特有の事項以外は、他の任意の無線通信システムにも適用可能である。
【００２２】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２３】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの、移動又は固定型のユーザー端機器を総称し、また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）などの、端末と通信するネットワーク端の任意のノードを総称するものとする。
【００２４】
移動通信システムにおいて、端末（Ｕｓｅｒ  Ｅｑｕｉｐｍｅｎｔ）は、基地局から下りリンク（Ｄｏｗｎｌｉｎｋ）で情報を受信し、基地局に上りリンク（Ｕｐｌｉｎｋ）で情報を伝送することができる。端末が伝送又は受信する情報にはデータ及び種々の制御情報があり、端末が伝送又は受信する情報の種類用途に応じて様々な物理チャネルが存在する。
【００２５】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線通信システムに利用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展したバージョンである。
【００２６】
以下、Ｍ２Ｍ機器間の通信は、基地局を介した、端末同士、又は人間の介入なく基地局と端末間で行う通信形態を意味する。したがって、Ｍ２Ｍ機器（Ｄｅｖｉｃｅ）は、上記のようなＭ２Ｍ機器の通信の支援が可能な端末を意味する。Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するのに一つ以上の特徴が必要な場合がある。Ｍ２Ｍ機器グループは、共通の一つ以上の特徴を共有するＭ２Ｍ機器のグループを意味する。
【００２７】
Ｍ２Ｍ方式で通信する機器（Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器などのように様々に呼ばれてもよい。）は、それらの機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加するだろう。議論されている機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがあるが、これらに限定されるものではなく、その他様々な機器アプリケーションタイプが議論されている。
【００２８】
Ｍ２Ｍ機器の他の特性として、低い移動性或いは無移動性がある。移動性が非常に低い、或いは移動性がないということは、Ｍ２Ｍ機器は長時間固定（ｓｔａｔｉｏｎａｒｙ）しているという意味である。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような、固定した位置を持つ特定Ｍ２Ｍアプリケーションのための移動性−関連動作を単純化又は最適化すればよい。
【００２９】
以下では、Ｍ２Ｍ通信が無線通信システム（例えば、ＩＥＥＥ  ８０２．１６ｅ／ｍ）に適用される場合を取り上げて本発明の実施例を説明する。しかし、本発明はこれに限定されるものではなく、本発明の実施例は、３ＧＰＰ  ＬＴＥシステムなどの他のシステムにも同様の方式で適用可能である。。
【００３０】
図１は、本発明の一実施形態に係るＭ２Ｍ機器及び基地局などの装置構成を概略的に説明するための図である。
【００３１】
図１で、Ｍ２Ｍ機器１００（或いは、Ｍ２Ｍ通信機器と呼ぶこともできるが、以下では、Ｍ２Ｍ機器と呼ぶ）及び基地局１５０は、それぞれ、ＲＦユニット１１０，１６０、プロセッサ１２０，１７０、及び選択的にメモリー１３０，１８０を備えることができる。そして、各ＲＦユニット１１０，１６０は、送信器１１１，１６１及び受信器１１２，１６２を備えることができる。Ｍ２Ｍ機器１００では、送信器１１１及び受信器１１２は、基地局１５０及び他のＭ２Ｍ機器と信号を送信及び受信するように構成され、プロセッサ１２０は、送信器１１１及び受信器１１２と機能的に接続され、送信器１１１及び受信器１１２が他の機器と信号を送受信する過程を制御するように構成されるとよい。また、プロセッサ１２０は、伝送する信号に対する各種処理を行ったのち送信器１１１に伝送し、且つ受信器１１２が受信した信号に対する処理を行うことができる。必要な場合、プロセッサ１２０は、交換したメッセージに含まれた情報をメモリー１３０に保存してもよい。このような構造により、Ｍ２Ｍ機器１００は、以下に説明する種々の実施形態の方法を実行することができる。
【００３２】
一方、図１には示していないが、Ｍ２Ｍ機器１００は、その機器アプリケーションタイプによって種々の追加構成を備えてもよい。Ｍ２Ｍ機器１００が知能型計量のためのものであれば、Ｍ２Ｍ機器１００は、電力測定などのための追加的な構成を備えることができ、このような電力測定動作は、図１におけるプロセッサ１２０により制御されてもよく、別個に構成されたプロセッサ（図示せず）により制御されてもよい。
【００３３】
図１は、Ｍ２Ｍ機器１００と基地局１５０との間に通信が行われる場合を例示しているが、本発明に係るＭ２Ｍ通信方法はＭ２Ｍ機器間に行われてもよく、この場合、それぞれの機器は、同図における各装置構成と同じ形態により、以下に説明する種々の実施形態に係る方法を実行することができる。
【００３４】
基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続され、送信器１６１及び受信器１６２が他の機器と信号を送受信する過程を制御するように構成されるとよい。また、プロセッサ１７０は、伝送する信号に対する各種処理を行ったのち送信器１６１に伝送し、且つ受信器１６２が受信した信号に対する処理を行うことができる。必要な場合、プロセッサ１７０は、交換されたメッセージに含まれた情報をメモリー１３０に保存してもよい。このような構造により、基地局１５０は、以下に説明する種々の実施形態の方法を実行することができる。
【００３５】
Ｍ２Ｍ機器１１０及び基地局１５０のそれぞれのプロセッサ１２０，１７０は、それぞれ、Ｍ２Ｍ機器１１０及び基地局１５０における動作を指示（例えば、制御、調整、管理など）する。それぞれのプロセッサ１２０，１７０は、プログラムコード及びデータを保存するメモリー１３０，１８０と接続可能である。メモリー１３０，１８０は、プロセッサ１２０，１７０に接続してオペレーティングシステム、アプリケーション、及び一般ファイル（ｇｅｎｅｒａｌ  ｆｉｌｅｓ）を保存する。
【００３６】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることもある。一方、プロセッサ１２０，１７０は、ハードウェア（ｈａｒｄｗａｒｅ）、ファームウェア（ｆｉｒｍｗａｒｅ）、ソフトウェア、又はこれらの結合により実現可能である。ハードウェアを用いて本発明の実施例を実現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に設けられるとよい。
【００３７】
一方、ファームウェアやソフトウェアを用いて本発明の実施例を実現する場合には、本発明の機能又は動作を行うモジュール、手順又は関数などを含むようにファームウェアやソフトウェアが構成されるとよく、本発明を実行するように構成されたファームウェア又はソフトウェアは、プロセッサ１２０，１７０内に設けられたり、メモリー１３０，１８０に保存され、プロセッサ１２０，１７０により駆動されるとよい。
【００３８】
以下では、まず、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍシステムでの持続的スケジューリング（Ｐｅｒｓｉｓｔｅｎｔ  ｓｃｈｅｄｕｌｉｎｇ）について簡略に説明する。
【００３９】
持続的割当（Ｐｅｒｓｉｓｔｅｎｔ  ａｌｌｏｃａｔｉｏｎ）技術は、周期的トラフィックパターンを有し、相対的に固定されたペイロード（ｐａｙｌｏａｄ）サイズを有する接続に対する割当オーバーヘッドを低減するために用いられる。基地局が端末に持続的にリソースを割り当てるために、基地局は、下りリンク割当のための下りリンク持続的割当Ａ−ＭＡＰ  ＩＥ（ＤＬ  Ｐｅｒｓｉｓｔｅｎｔ  Ａｌｌｏｃａｔｉｏｎ  Ａ−ＭＡＰ  ＩＥ）、及び上りリンク割当のための上りリンク持続的Ａ−ＭＡＰ  ＩＥ（ＵＬ  Ｐｅｒｓｉｓｔｅｎｔ  Ａｌｌｏｃａｔｉｏｎ  Ａ−ＭＡＰ  ＩＥ）を端末に伝送する。上りリンク−持続的割当について、必須フロー情報が利用可能であれば、例えば、ＨＡＲＱチャネルマッピング方式を用いて、端末は、割り当てられたリソース上でデータを搬送するために意図されたサービスフローに高い優先順位を与えなければならない。
【００４０】
持続的に割り当てられたリソースの設定パラメータ（Ｃｏｎｆｉｇｕｒａｔｉｏｎ  ｐａｒａｍｅｔｅｒ）は、持続的割当が割当解除（ｄｅａｌｌｏｃａｔｅｄ）される時、変更される時、又は誤りイベントが発生した時までに基地局及び端末により維持されなければならない。持続的スケジューリングは、持続的に割り当てられたリソースを用いて初期伝送されたデータのＨＡＲＱ（Ｈｙｂｒｉｄ  Ａｕｔｏｍａｔｉｃ  Ｒｅｐｅａｔ  ｒｅＱｕｅｓｔ）再伝送のための特別準備（ａｒｒａｎｇｅｍｅｎｔｓ）を含まない。各下りリンク再伝送のためのリソースは、下りリンク基本割当Ａ−ＭＡＰ  ＩＥ（ＤＬ  Ｂａｓｉｃ  Ａｓｓｉｇｎｍｅｎｔ  Ａ−ＭＡＰ  ＩＥ）を用いて割り当てられる。上りリンク再伝送のためのリソースは、再伝送のための制御情報が変更された時にのみ上りリンク基本割当Ａ−ＭＡＰ  ＩＥ（ＵＬ  Ｂａｓｉｃ  Ａｓｓｉｇｎｍｅｎｔ  Ａ−ＭＡＰ  ＩＥ）を用いて割り当てられる。
【００４１】
次に、割当メカニズムについて簡略に説明する。
【００４２】
下りリンク／上りリンク（ＤＬ／ＵＬ）での持続的割当の場合に、基地局はＤＬ／ＵＬ持続的割当Ａ−ＭＡＰ  ＩＥ（ＤＬ／ＵＬ  Ｐｅｒｓｉｓｔｅｎｔ  Ａｌｌｏｃａｔｉｏｎ  Ａ−ＭＡＰ  ＩＥ）を伝送しなければならない。持続的に割り当てられたリソースの割当は、ＤＬ／ＵＬ持続的割当Ａ−ＭＡＰ  ＩＥメッセージで指示されるＡＡＩサブフレームから始まり、ＤＬ／ＵＬ持続的割当Ａ−ＭＡＰ  ＩＥメッセージで具体化された割当周期（ａｌｌｏｃａｔｉｏｎ  ｐｅｒｉｏｄ）以降に反復される。持続的に割り当てられたリソースの設定パラメータは、ＤＬ／ＵＬ持続的割当Ａ−ＭＡＰ  ＩＥ別に維持される。ＤＬ／ＵＬ持続的割当Ａ−ＭＡＰ  ＩＥで設定されたＡＣＩＤ（ＨＡＲＱチャネル識別子（ＨＡＲＱ  Ｃｈａｎｎｅｌ  ＩＤｅｎｔｉｆｉｅｒ）に該当）及びＮ＿ＡＣＩＤの値は、ＨＡＲＱチャネル識別子の暗示的サイクリング（ｉｍｐｌｉｃｉｔ  ｃｙｃｌｉｎｇ）を説明するために共に使用される。
【００４３】
ＤＬ／ＵＬ持続的割当Ａ−ＭＡＰ  ＩＥと共にする初期伝送において、ＨＡＲＱバースト（ｂｕｒｓｔ）のＡＣＩＤは、ＤＬ／ＵＬ持続的割当Ａ−ＭＡＰ  ＩＥのｉｎｉｔｉａｌ＿ＡＣＩＤフィールドで記述された値に設定される。次の新しい伝送（ｎｅｗ  ｔｒａｎｓｍｉｓｓｉｏｎ）からは、ＨＡＲＱバーストのＡＣＩＤは１ずつ増加し、［Ｉｎｉｔｉａｌ＿ＡＣＩＤ、Ｍｏｄ（Ｉｎｉｔｉａｌ＿ＡＣＩＤ＋Ｎ＿ＡＣＩＤ−１，１６）］の範囲内でサイクリングされるが、ここで、Ｉｎｉｔｉａｌ＿ＡＣＩＤは、初期伝送における開始ＡＣＩＤ値である。同一のＡＣＩＤを有する新しいＨＡＲＱバーストが伝送される前に以前のＨＡＲＱバーストに対する再伝送プロセスが完了しないと、以前のＨＡＲＱバーストに対する再伝送プロセスが終了し、新しいＨＡＲＱバーストがオーバーライド（ｏｖｅｒｒｉｄｅ）する。
【００４４】
リンク適応を利用し（ｆａｃｉｌｉｔａｔｅ）、リソースホール（ｈｏｌｅ）を避けるために、持続的に割り当てられたリソースの設定パラメータを変更できる。持続的割当を変更するために、基地局は、下りリンク割当のために下りリンク持続的割当Ａ−ＭＡＰ  ＩＥを、上りリンク割当のために上りリンク持続的割当Ａ−ＭＡＰ  ＩＥを端末に伝送する。端末は、特定ＡＡＩサブフレームで既存持続的割当（ｅｘｉｓｔｉｎｇ  ｐｅｒｓｉｓｔｅｎｔ  ａｌｌｏｃａｔｉｏｎ）を有していれば、同一のＡＡＩサブフレームで新しい持続的割当（ｎｅｗ  ｐｅｒｓｉｓｔｅｎｔ  ａｌｌｏｃａｔｉｏｎ）を受信し、新しい持続的割当が元の割当に置き換わる（すなわち、元の持続的割当は割当解除される）。
【００４５】
基地局は、下りリンク持続的割当Ａ−ＭＡＰ  ＩＥを伝送することで、下りリンクに持続的に割り当てられたリソースを再割当する時、他のＨＡＲＱフィードバックチャネルは、再割当のために用いられる持続的割当Ａ−ＭＡＰ  ＩＥにおいて割り当てられる。もし、割り当てられた下りリンクデータバーストのためのＡＣＫが、新しく割り当てられたＨＡＲＱフィードバックチャネルから検出されると、基地局は、再割当のためにシグナリングされた下りリンク持続的割当Ａ−ＭＡＰ  ＩＥが正確に受信されたと仮定する。ＡＣＫが受信されないと、後続割当周期（ｓｕｂｓｅｑｕｅｎｃｔ  ａｌｌｏｃａｔｉｏｎ  ｐｅｒｉｏｄ）以降に、同一の再割当下りリンク持続的割当Ａ−ＭＡＰ  ＩＥが再伝送されるとよい。
【００４６】
上りリンク持続的割当Ａ−ＭＡＰ  ＩＥによる識別された再割当されたデータバーストが成功的にデコーディングされると、基地局は、再割当をシグナリングした上りリンク持続的割当Ａ−ＭＡＰ  ＩＥが正確に受信されたと仮定する。再割当されたデータバーストが成功的にデコーディングされないと、後続周期（ｓｕｂｓｅｑｕｅｎｔ  ｐｅｒｉｏｄ）以降に同一の再割当上りリンクＡ−ＭＡＰ  ＩＥが再伝送されるとよい。
【００４７】
以下では、割当解除（ｄｅ−ａｌｌｏｃａｔｉｏｎ）メカニズムについて簡略に説明する。
【００４８】
下りリンク／上りリンクでの持続的割当の割当解除のために、基地局は、下りリンク／上りリンク持続的割当Ａ−ＭＡＰ  ＩＥメッセージを端末に伝送する。下りリンク／上りリンク持続的割当Ａ−ＭＡＰ  ＩＥメッセージにおいて割当周期（ａｌｌｏｃａｔｉｏｎ  ｐｅｒｉｏｄ）フィールドが０ｂ００に設定されると、下りリンク／上りリンク持続的割当Ａ−ＭＡＰ  ＩＥメッセージで割り当てられた持続的リソースは、言及された（ｒｅｆｅｒｅｎｃｅｄ）下りリンク／上りリンクＡＡＩサブフレームで割当解除され、基地局及び端末は持続的割当を終了する。基地局が下りリンクで持続的に割り当てられたリソースを割当解除するために下りリンク持続的割当Ａ−ＭＡＰ  ＩＥ（ＰＡＡ−ＭＡＰ  ＩＥ）メッセージを端末に伝送する時、他のＨＡＲＱフィードバックチャネルは、割当解除のために用いられる持続的割当Ａ−ＭＡＰ  ＩＥで割り当てられる。端末は、新しく割り当てられたＨＡＲＱフィードバックチャネルで割当解除をシグナリングした下りリンク持続的割当Ａ−ＭＡＰ  ＩＥメッセージが正確に受信されたことを知らせるためにＡＣＫを基地局に伝送する。基地局は、端末からＡＣＫ信号を受信できなかった場合に、後続割当周期後に同一の割当解除下りリンク持続的割当Ａ−ＭＡＰ  ＩＥメッセージを端末に再伝送できる。
【００４９】
非同期ＨＡＲＱ再伝送が下りリンク持続的割当のために用いられる。下りリンク基本割当Ａ−ＭＡＰ  ＩＥメッセージは、ＨＡＲＱ再伝送のための制御情報をシグナリングするために伝送される。同期ＨＡＲＱ再伝送は上りリンク持続的割当のために用いられる。上りリンク基本割当Ａ−ＭＡＰ  ＩＥメッセージは、ＨＡＲＱ再伝送のための制御情報をシグナリングするために伝送されてよい。
【００５０】
次に、誤りハンドリング手順（Ｅｒｒｏｒ  ｈａｎｄｌｉｎｇ  ｐｒｏｃｅｄｕｒｅ）について簡略に説明する。
【００５１】
ＨＡＲＱイネーブルド（ＨＡＲＱ  ｅｎａｂｌｅｄ）再伝送のために、ＡＣＫがデータバーストの成功的なデコーディングを知らせるために伝送され、又は、ＮＡＣＫが下りリンク／上りリンク上で伝送されるバーストをデコーディングするのに失敗したことを知らせるために伝送される。下りリンク持続的割当Ａ−ＭＡＰ  ＩＥメッセージにより識別されたデータバーストに対するＡＣＫが、関連したＨＡＲＱプロセスに割り当てられたＨＡＲＱフィードバックチャネルから検出されると、基地局は、下りリンク持続的割当Ａ−ＭＡＰ  ＩＥメッセージを端末が正確に受信したと仮定する。上りリンク持続的割当Ａ−ＭＡＰ  ＩＥメッセージにより識別された初期データバーストが、再伝送のための上りリンク基本割当Ａ−ＭＡＰ  ＩＥメッセージの追加伝送無しに成功的にデコーディングされると、基地局は、上りリンク持続的割当Ａ−ＭＡＰ  ＩＥメッセージを正確に受信したと仮定する。
【００５２】
ヌル（Ｎｕｌｌ）検出が用いられる時、データバーストに対する下りリンク持続的割当Ａ−ＭＡＰ  ＩＥメッセージで割り当てられたＨＡＲＱフィードバックチャネルでＡＣＫ又はＮＡＣＫが不在であると、基地局は、端末が下りリンク持続的割当Ａ−ＭＡＰ  ＩＥメッセージを受信できなかったと仮定し、基地局は、後続割当周期後に同一の下りリンク持続的割当Ａ−ＭＡＰ  ＩＥメッセージを再び伝送できる。
【００５３】
下りリンク／上りリンクで持続的割当を割当解除する場合に、基地局は、下りリンク／上りリンク持続的割当Ａ−ＭＡＰ  ＩＥメッセージでＨＡＲＱフィードバック割当を伝送する。この割当は、ＨＡＲＱチャネルを識別するために用いられる。
【００５４】
この割当は、ＨＡＲＱチャネルを識別するために割り当てられ、割当解除をシグナリングする下りリンク／上りリンク持続的割当Ａ−ＭＡＰ  ＩＥメッセージのためのＡＣＫが伝送される。ＡＣＫの不在（Ｎｕｌｌ検出）の場合に、基地局は、端末が下りリンク／上りリンク持続的割当Ａ−ＭＡＰ  ＩＥを受信できなかったと仮定し、割当解除をシグナリングする同一の下りリンク／上りリンク持続的割当Ａ−ＭＡＰ  ＩＥが後続の割当周期以降に再び伝送されるとよい。
【００５５】
上りリンク持続的割当Ａ−ＭＡＰ  ＩＥメッセージにより割り当てられたリソースにおいて上りリンクデータバーストの不在（ａｂｓｅｎｃｅ）である場合に、端末により伝送される上りリンクデータバーストは、基地局で成功的にデコーディングされないが、ヌルとして検出できない。このような場合に、基地局は、端末が上りリンク持続的割当Ａ−ＭＡＰ  ＩＥメッセージを受信できなかったと仮定し、基地局は後続の割当周期以降に再び同一の上りリンク持続的割当Ａ−ＭＡＰ  ＩＥを伝送できる。後続する持続的割当のためのリソース割当情報が正確に受信されたことを保障するべく、上りリンク持続的割当Ａ−ＭＡＰ  ＩＥメッセージにより識別された初期データバーストはＮ＿ＭＡＸ＿ＲｅＴＸ  ＨＡＲＱ再伝送以降に成功的にデコーディングされないし、後続する持続的割当も成功的にデコーディングされず、後続の割当周期以降に同一の上りリンク持続的割当Ａ−ＭＡＰ  ＩＥメッセージが再び伝送されるとよい。
【００５６】
下記の表１は、下りリンク持続的割当Ａ−ＭＡＰ  ＩＥ（ＤＬ  ｐｅｒｓｉｓｔｅｎｔ  ａｌｌｏｃａｔｉｏｎ  Ａ−ＭＡＰ  ＩＥ）メッセージフォーマットの一例を表すものである。
【００５７】
【表１−１】
2014534728.tif 000003
【表１−２】
2014534728.tif 000004
【００５８】
表１を参照すると、下りリンク持続的割当Ａ−ＭＡＰ  ＩＥ（ＤＬ  ｐｅｒｓｉｓｔｅｎｔ  ａｌｌｏｃａｔｉｏｎ  Ａ−ＭＡＰ  ＩＥ）メッセージは、Ａ−ＭＡＰ  ＩＥタイプを表すＡ−ＭＡＰ  ＩＥタイプフィールド、割当周期（Ａｌｌｏｃａｔｉｏｎ  Ｐｅｒｉｏｄ）フィールドを含むことができる。割当周期フィールドが０ｂ００に設定され、持続的リソースの割当解除を指示する場合に、下りリンク持続的割当Ａ−ＭＡＰ  ＩＥメッセージは、割当解除された以前に割り当てられた持続的リソースに対するリソースインデックスを確認させるリソースインデックス（Ｒｅｓｏｕｒｃｅ  Ｉｎｄｅｘ）フィールド、割り当てられたリソースによりスパン（ｓｐａｎ）されたＡＡＩサブフレームの数を表す長いＴＴＩ指示子（Ｌｏｎｇ  ＴＴＩ  ｉｎｄｉｃａｔｏｒ）フィールド、割当解除Ａ−ＭＡＰ  ＩＥの受信に対する確認応答のためのＨＡＲＱフィードバック割当のための明示的なインデックスを指示するＨＦＡ（ＨＡＲＱ  Ｆｅｅｄｂａｃｋ  Ａｌｌｏｃａｔｉｏｎ）フィールドを含むことができる。
【００５９】
割当周期フィールドが０ｂ００に設定された場合以外は、下りリンク持続的割当Ａ−ＭＡＰ  ＩＥメッセージは、リソースインデックスフィールド、割り当てられたリソースによりスパン（ｓｐａｎ）されたＡＡＩサブフレームの数を表す長いＴＴＩ指示子（Ｌｏｎｇ  ＴＴＩ  ｉｎｄｉｃａｔｏｒ）フィールド、ＨＡＲＱフィードバック割当を指示するＨＦＡフィールド、ＨＡＲＱチャネル識別子の暗示的サイクリングに対するＡＣＩＤの数（或いは、番号）を表すＮ＿ＡＣＩＤフィールド、ＨＡＲＱチャネル識別子の暗示的サイクリングに対するＨＡＲＱチャネル識別子の初期値を表すＩｎｉｔｉａｌ＿ＡＣＩＤフィールドを含むことができる。
【００６０】
下記の表２は、上りリンク持続的割当Ａ−ＭＡＰ  ＩＥ（ＵＬ  ｐｅｒｓｉｓｔｅｎｔ  ａｌｌｏｃａｔｉｏｎ  Ａ−ＭＡＰ  ＩＥ）メッセージフォーマットの一例を表すものである。
【００６１】
【表２−１】
2014534728.tif 000005
【表２−２】
2014534728.tif 000006
【００６２】
上記の表２を参照すると、上りリンク持続的割当Ａ−ＭＡＰ  ＩＥ（ＵＬ  ｐｅｒｓｉｓｔｅｎｔ  ａｌｌｏｃａｔｉｏｎ  Ａ−ＭＡＰ  ＩＥ）メッセージは、Ａ−ＭＡＰ  ＩＥタイプを表すＡ−ＭＡＰ  ＩＥタイプフィールド、割当周期（Ａｌｌｏｃａｔｉｏｎ  Ｐｅｒｉｏｄ）フィールドを含むことができる。割当周期フィールドが０ｂ００に設定され、持続的リソースの割当解除を指示する場合に、上りリンク持続的割当Ａ−ＭＡＰ  ＩＥメッセージは、割当解除された以前の割り当てられた持続的リソースに対するリソースインデックスを確認させるリソースインデックス（Ｒｅｓｏｕｒｃｅ  Ｉｎｄｅｘ）フィールド、このＡ−ＭＡＰに関連している上りリンクサブフレームの位置及びＴＴＩタイプを指示するＴＴＩ及びＲｅｌｅｖａｎｃｅフィールド、割当解除Ａ−ＭＡＰ  ＩＥ（ｄｅａｌｌｏｃａｔｉｏｎ  Ａ−ＭＡＰ  ＩＥ）の受信に対する確認応答のためのＨＡＲＱフィードバック割当（ＨＡＲＱ  Ｆｅｅｄｂａｃｋ  Ａｌｌｏｃａｔｉｏｎ）に対する明示的インデックスを表すＨＦＡフィールドを含むことができる。
【００６３】
割当周期フィールドが０ｂ００に設定された場合以外は、上りリンク持続的割当Ａ−ＭＡＰ  ＩＥメッセージは、バーストサイズインデックスを計算するのに用いられるオフセット値を指示するＩｓｉｚｅｏｆｆｓｅｔフィールド、端末別に支援される２ストリームまでの伝送におけるストリーム数を表すＭｔフィールド、リソースインデックスフィールド、このＡ−ＭＡＰに関連している上りリンクサブフレームの位置及びＴＴＩタイプを指示するＴＴＩ及びＲｅｌｅｖａｎｃｅフィールド、ＨＦＡフィードバック割当を表すＨＦＡフィールド、ＨＡＲＱチャネル識別子の暗示的サイクリングに対するＡＣＩＤの数（或いは番号）を表すＮ＿ＡＣＩＤフィールド、ＨＡＲＱチャネル識別子の暗示的サイクリングに対するＨＡＲＱチャネル識別子の初期値を表すＩｎｉｔｉａｌ＿ＡＣＩＤフィールドを含むことができる。
【００６４】
以下では、Ｍ２Ｍにおいて長い周期持続的スケジューリング（ｌｏｎｇ  ｃｙｃｌｅ  ｐｅｒｓｉｓｔｅｎｔ  ｓｃｈｅｄｕｌｉｎｇ）について説明するために、まず、ＩＥＥＥ  ８０２．１６ｍ  ＡＡＩ（Ａｄｖａｎｃｅｄ  Ａｉｒ  Ｉｎｔｅｒｆａｃｅ）において持続的スケジューリングについて簡略に説明する。
【００６５】
ＩＥＥＥ  ８０２．１６ｍ  ＡＡＩシステムにおいて、長い−周期割当は、周期的トラフィックパターン及び相対的に固定されたペイロードサイズを有する、高い優先度のＭ２Ｍ接続のために用いられる。固定されたＭ２Ｍ機器に持続的にリソースを割り当てるために、基地局は、長い割当周期を有する上りリンク割当のための上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）をＭ２Ｍ機器に伝送できる。
【００６６】
長い−周期持続的スケジューリングにより割り当てられた上りリンクリソースは、一時的に変更されてもよい。一時的に上りリンク持続的割当を変更するために、基地局は、割当周期を例えば０ｂ１１１１に設定した上で上りリンクＭ２Ｍ持続的割当Ａ−ＭＡＰ  ＩＥをＭ２Ｍ機器に伝送できる。Ｍ２Ｍ機器が特定ＡＡＩサブフレームにおいて既存持続的割当（ｅｘｉｓｔｉｎｇ  ｐｅｒｓｉｓｔｅｎｔ  ａｌｌｏｃａｔｉｏｎ）を有しており、割当周期が０ｂ１１１１に設定された上りリンクＭ２Ｍ持続的割当Ａ−ＭＡＰ  ＩＥを受信することで当該ＡＡＩサブフレームにおいて新しいリソース割当を受信すると、新しいリソース割当は、単に当該ＡＡＩサブフレームでのみオリジナル（ｏｒｉｇｉｎａｌ）持続的割当を代替する（すなわち、オリジナル持続的割当は、次の割当周期から再開始される）。
【００６７】
次に、割当解除（Ｄｅ−ａｌｌｏｃａｔｉｏｎ）メカニズムについて説明する。
【００６８】
上りリンクＭ２Ｍ持続的割当Ａ−ＭＡＰ  ＩＥメッセージによる長い周期持続的スケジューリングの割当解除の場合に、割当解除タイプが０ｂ０（すなわち、永久割当解除（ｐｅｒｍａｎｅｎｔ  ｄｅ−ａｌｌｏｃａｔｉｏｎ））に設定されると、上りリンクＭ２Ｍ持続的割当Ａ−ＭＡＰ  ＩＥメッセージにより割り当てられた持続的リソースは、レファレンス（ｒｅｆｅｒｅｎｃｅ）上りリンクサブフレームで割当解除され、基地局及びＭ２Ｍ機器は持続的割当を終了しなければならない。そうでない場合（すなわち、一回割当解除（ｏｎｅ−ｔｉｍｅ  ｄｅ−ａｌｌｏｃａｔｉｏｎ）の場合）には、上りリンクＭ２Ｍ持続的割当Ａ−ＭＡＰ  ＩＥメッセージにより割り当てられた持続的リソースはレファレンス（ｒｅｆｅｒｅｎｃｅ）上りリンクサブフレームで一回割当解除され、基地局及びＭ２Ｍ機器は以前の持続的割当を維持しなければならない。
【００６９】
下記の表３は、上りリンクＭ２Ｍ持続的割当Ａ−ＭＡＰ  ＩＥ（ＵＬ  Ｍ２Ｍ  Ｐｅｒｓｉｓｔｅｎｔ  ａｌｌｏｃａｔｉｏｎ  Ａ−ＭＡＰ  ＩＥ）メッセージフォーマットの一例を表すものである。
【００７０】
【表３−１】
2014534728.tif 000007
【表３−２】
2014534728.tif 000008
【００７１】
上記の表３を参照すると、上りリンクＭ２Ｍ持続的割当Ａ−ＭＡＰ  ＩＥ（ＵＬ  Ｍ２Ｍ  ｐｅｒｓｉｓｔｅｎｔ  ａｌｌｏｃａｔｉｏｎ  Ａ−ＭＡＰ  ＩＥ）メッセージは、Ａ−ＭＡＰ  ＩＥタイプを表すＡ−ＭＡＰ  ＩＥタイプフィールド、割当周期（Ａｌｌｏｃａｔｉｏｎ  Ｐｅｒｉｏｄ）フィールドを含むことができる。割当周期フィールドが０ｂ０００に設定されていれば、割当解除を指示するものであってよい。
【００７２】
割当周期フィールドが０ｂ０００に設定され、持続的リソースの割当解除を指示する場合に、上りリンクＭ２Ｍ持続的割当Ａ−ＭＡＰ  ＩＥメッセージは、割当解除された以前の割り当てられた持続的リソースに対するリソースインデックスを確認させるリソースインデックス（Ｒｅｓｏｕｒｃｅ  Ｉｎｄｅｘ）フィールド、このＡ−ＭＡＰに関連している上りリンクサブフレームの位置及びＴＴＩタイプを指示するＴＴＩ及びＲｅｌｅｖａｎｃｅフィールド、割当解除Ａ−ＭＡＰ  ＩＥ（ｄｅａｌｌｏｃａｔｉｏｎ  Ａ−ＭＡＰ  ＩＥ）の受信に対する確認応答のためのＨＡＲＱフィードバック割当（ＨＡＲＱ  Ｆｅｅｄｂａｃｋ  Ａｌｌｏｃａｔｉｏｎ）に対する明示的インデックスを表すＨＦＡフィールドを含むことができる。
【００７３】
割当周期フィールドが０ｂ０００に設定された場合以外は、上りリンクＭ２Ｍ持続的割当Ａ−ＭＡＰ  ＩＥメッセージは、バーストサイズインデックスを計算するのに用いられるオフセット値を指示するＩｓｉｚｅｏｆｆｓｅｔフィールド、リソースインデックスフィールド、このＡ−ＭＡＰに関連している上りリンクサブフレームの位置及びＴＴＩタイプを指示するＴＴＩ及びＲｅｌｅｖａｎｃｅフィールド、ＨＦＡフィードバック割当を表すＨＦＡフィールド、ＨＡＲＱチャネル識別子の暗示的サイクリングに対するＡＣＩＤの数（或いは番号）を表すＮ＿ＡＣＩＤフィールド、ＨＡＲＱチャネル識別子の暗示的（ｉｍｐｌｉｃｉｔ）サイクリングに対するＨＡＲＱチャネル識別子の初期値を表すＩｎｉｔｉａｌ＿ＡＣＩＤフィールドを含むことができる。
【００７４】
ＩＥＥＥ  ８０２．１６ｍシステムでは、持続的スケジューリング（ｐｅｒｓｉｓｔｅｎｔ  ｓｃｈｅｄｕｌｉｎｇ）の持続的割当を変更するために、基地局は下りリンク持続的割当Ａ−ＭＡＰ  ＩＥ（ＤＬ  Ｐｅｒｓｉｓｔｅｎｔ  ａｌｌｏｃａｔｉｏｎ  Ａ−ＭＡＰ  ＩＥ）メッセージや上りリンク持続的割当Ａ−ＭＡＰ  ＩＥ（ＵＬ  Ｐｅｒｓｉｓｔｅｎｔ  ａｌｌｏｃａｔｉｏｎ  Ａ−ＭＡＰ  ＩＥ）メッセージを伝送し、また、端末が特定サブフレームで持続的割当（ｐｅｒｓｉｓｔｅｎｔ  ａｌｌｏｃａｔｉｏｎ）が割り当てられた状態で下りリンク／上りリンク持続的割当Ａ−ＭＡＰ  ＩＥ（ＤＬ／ＵＬ  Ｐｅｒｓｉｓｔｅｎｔ  ａｌｌｏｃａｔｉｏｎ  Ａ−ＭＡＰ  ＩＥ）メッセージを通じて新しい持続的割当を受けると、新しい割当が以前割当を代替すると判断し、以前割当を割当解除した。
【００７５】
大部分のＭ２Ｍアプリケーションに対するトラフィックは、既存ヒューマンタイプデータ（例えば、ＶｏＩＰ（Ｖｏｉｃｅ  Ｏｖｅｒ  Ｉｎｔｅｒｎｅｔ  Ｐｒｏｔｏｃｏｌ）、ストリーミング（ｓｔｒｅａｍｉｎｇ）、ビデオサービス（Ｖｉｄｅｏ  ｓｅｒｖｉｃｅ）など）に比べて低い優先順位（ｐｒｉｏｒｉｔｙ）を有する。特定時点に長い周期持続的スケジューリング（Ｌｏｎｇ  ｃｙｃｌｅ  ｐｅｒｓｉｓｔｅｎｔ  ｓｃｈｅｄｕｌｉｎｇ）によって割り当てられた領域が既存のヒューマンタイプトラフィックによって占有されるとき、基地局は当該位置を一度変える必要がある。この場合、新しい割当が以前割当を代替すると、新しい割当によって割り当てられたリソースが以降のリソース位置と決定されるが、これは、基地局のスケジューリング複雑度を増加させる他、リソースホール（ｒｅｓｏｕｒｃｅ  ｈｏｌｅ）を増加させ、非効率的リソース使用を招くことがある。
【００７６】
そこで、本発明では、長い周期持続的スケジューリングによって割り当てられたリソースが特定時点に他の目的のために用いられるとき、割り当てられたリソースを一時的に変更するための方法を提案する。
【００７７】
第１実施例
【００７８】
図２は、本発明の第１実施例によって、端末が長い周期持続的スケジューリングによって割り当てられたリソースに変更がある場合に、上りリンクデータを伝送する方法を説明するための図である。
【００７９】
図２を参照すると、基地局が長い周期持続的スケジューリング（ｌｏｎｇ  ｃｙｃｌｅ  ｐｅｒｓｉｓｔｅｎｔ  ｓｃｈｅｄｕｌｉｎｇ）によってリソースが割り当てられた時点に、当該割り当てられたリソースの位置を変更しようとするとき、基地局は、上りリンク基本割当Ａ−ＭＡＰ  ＩＥ（ＵＬ  ｂａｓｉｃ  ａｓｓｉｇｎｍｅｎｔ  Ａ−ＭＡＰ  ＩＥ）を端末に伝送する（Ｓ２１０）。もし、端末が長い周期持続的スケジューリングによってリソースが割り当てられたサブフレーム（ＡＡＩ  ｓｕｂｆｒａｍｅ）で基地局からＵＬ  ｂａｓｉｃ  ａｓｓｉｇｎｍｅｎｔ  Ａ−ＭＡＰ  ＩＥによってリソースが割り当てられると、当該サブフレームで端末は、長い周期持続的スケジューリングにより割り当てられたリソースを用いず、上りリンク基本割当Ａ−ＭＡＰ  ＩＥ（ＵＬ  ｂａｓｉｃ  ａｓｓｉｇｎｍｅｎｔ  Ａ−ＭＡＰ  ＩＥ）メッセージによって割り当てられたリソースを用いて上りリンクデータを伝送する（Ｓ２２０）。
【００８０】
端末は、次の周期からは、既存に長い周期持続的スケジューリングによって割り当てられた情報を引き続き用いて割り当てられたリソースを通じて上りリンクデータを伝送すればよい（Ｓ２３０）。
【００８１】
第２実施例
【００８２】
基地局が長い周期持続的スケジューリング（ｌｏｎｇ  ｃｙｃｌｅ  ｐｅｒｓｉｓｔｅｎｔ  ｓｃｈｅｄｕｌｉｎｇ）によってリソースが割り当てられた時点に、当該割り当てられたリソースの位置を変更しようとするとき、基地局は、長い周期持続的スケジューリングのために用いられるＵＬ  Ｍ２Ｍ持続的割当Ａ−ＭＡＰ  ＩＥ（ＵＬ  Ｍ２Ｍ  Ｐｅｒｓｉｓｔｅｎｔ  ａｌｌｏｃａｔｉｏｎ  Ａ−ＭＡＰ  ＩＥ）メッセージを用いてリソースの位置を変更してもよい。このとき、ＵＬ  Ｍ２Ｍ持続的割当Ａ−ＭＡＰ  ＩＥ中に一時的変更であることを知らせるフィールドを含めるとよい。下記の表４は、ＵＬ  Ｍ２Ｍ持続的割当Ａ−ＭＡＰ  ＩＥ（ＵＬ  Ｍ２Ｍ  Ｐｅｒｓｉｓｔｅｎｔ  ａｌｌｏｃａｔｉｏｎ  Ａ−ＭＡＰ  ＩＥ）の一例を表すものである。
【００８３】
【表４−１】
2014534728.tif 000009
【表４−２】
2014534728.tif 000010
【００８４】
上記の表４を参照すると、上りリンクＭ２Ｍ持続的割当Ａ−ＭＡＰ  ＩＥ（ＵＬ  Ｍ２Ｍ  ｐｅｒｓｉｓｔｅｎｔ  ａｌｌｏｃａｔｉｏｎ  Ａ−ＭＡＰ  ＩＥ）メッセージは、Ａ−ＭＡＰ  ＩＥタイプを表すＡ−ＭＡＰ  ＩＥタイプフィールド、割当周期（Ａｌｌｏｃａｔｉｏｎ  Ｐｅｒｉｏｄ）フィールドを含むことができる。割当周期フィールド（又は、割当周期情報）が０ｂ１１１１に設定されていれば、１回再割当（Ｏｎｅ  ｔｉｍｅｒｅ−ａｌｌｏｃａｔｉｏｎ））を指示するものであり、その他の割当周期値は、例えば、２フレーム、４フレーム、６フレーム、５スーパーフレーム、１０スーパーフレーム、２５スーパーフレーム、５０スーパーフレームなどに設定されていればよい。
【００８５】
Ｍ２Ｍ機器が特定時間単位（例えば、特定サブフレーム）で既存の持続的割当を有しており、Ｍ２Ｍ機器が、当該特定サブフレームに対する新しいリソース割当情報を含むＵＬ  Ｍ２Ｍ持続的割当Ａ−ＭＡＰ  ＩＥを受信すると、Ｍ２Ｍ機器は、該当ＵＬ  Ｍ２Ｍ持続的割当Ａ−ＭＡＰ  ＩＥメッセージによって割り当てられたリソースを用いて基地局に上りリンクデータを伝送し、Ｍ２Ｍ機器のプロセッサ１２０は、次の周期からは、送信器１１１が以前に受信した持続的割当を引き続き用いて上りリンクデータを基地局に伝送するように制御できる。すなわち、該当ＵＬ  Ｍ２Ｍ持続的割当Ａ−ＭＡＰ  ＩＥにより新しく割り当てられたリソースは、当該ＵＬ  Ｍ２Ｍ持続的割当Ａ−ＭＡＰ  ＩＥを受信した現在サブフレームでのみ有効である。
【００８６】
また、割当周期フィールドが０ｂ００００に設定され、持続的リソースの割当解除を指示する場合に、上りリンクＭ２Ｍ持続的割当Ａ−ＭＡＰ  ＩＥメッセージは、割当解除された以前の割り当てられた持続的リソースに対するリソースインデックスを確認させるリソースインデックス（Ｒｅｓｏｕｒｃｅ  Ｉｎｄｅｘ）フィールド、このＡ−ＭＡＰに関連している上りリンクサブフレームの位置及びＴＴＩタイプを指示するＴＴＩ及びＲｅｌｅｖａｎｃｅフィールド、割当解除Ａ−ＭＡＰ  ＩＥ（ｄｅａｌｌｏｃａｔｉｏｎ  Ａ−ＭＡＰ  ＩＥ）の受信に対する確認応答のためのＨＡＲＱフィードバック割当（ＨＡＲＱ  Ｆｅｅｄｂａｃｋ  Ａｌｌｏｃａｔｉｏｎ）に対する明示的インデックスを表すＨＦＡフィールドを含むことができる。
【００８７】
一方、割当周期フィールドが０ｂ００００に設定された場合以外は、上りリンクＭ２Ｍ持続的割当Ａ−ＭＡＰ  ＩＥメッセージは、バーストサイズインデックスを計算するのに用いられるオフセット値を指示するＩｓｉｚｅｏｆｆｓｅｔフィールド、リソースインデックスフィールド、このＡ−ＭＡＰに関連している上りリンクサブフレームの位置及びＴＴＩタイプを指示するＴＴＩ及びＲｅｌｅｖａｎｃｅフィールド、ＨＦＡフィードバック割当を表すＨＦＡフィールド、ＨＡＲＱチャネル識別子の暗示的サイクリングに対するＡＣＩＤの数（或いは番号）を表すＮ＿ＡＣＩＤフィールド、ＨＡＲＱチャネル識別子の暗示的サイクリングに対するＨＡＲＱチャネル識別子の初期値を表すＩｎｉｔｉａｌ＿ＡＣＩＤフィールドを含むことができる。
【００８８】
図３は、本発明の第２実施例によって、Ｍ２Ｍ機器が、長い周期持続的スケジューリングによって割り当てられたリソースに変更がある場合に上りリンクデータを伝送する方法を説明するための図である。
【００８９】
図３を参照すると、基地局は、上記の表４のように割当周期フィールドを０ｂ１１１１に設定したうえ、上りリンクＭ２Ｍ持続的割当Ａ−ＭＡＰ  ＩＥ（ＵＬ  Ｍ２Ｍ  ｐｅｒｓｉｓｔｅｎｔ  ａｌｌｏｃａｔｉｏｎ  Ａ−ＭＡＰ  ＩＥ）メッセージをＭ２Ｍ機器に伝送できる（Ｓ３１０）。これは、既存のＵＬ  Ｍ２Ｍ持続的割当Ａ−ＭＡＰ  ＩＥによって特定サブフレームに対して割り当てられたリソースは、現在伝送された上りリンクＭ２Ｍ持続的割当Ａ−ＭＡＰ  ＩＥ（ＵＬ  Ｍ２Ｍ  ｐｅｒｓｉｓｔｅｎｔ  ａｌｌｏｃａｔｉｏｎ  Ａ−ＭＡＰ  ＩＥ）によって割り当てられたリソースに１回取り替えられるということを指示する。
【００９０】
すなわち、Ｍ２Ｍ機器が、特定サブフレームで長い周期持続的スケジューリングにより割り当てられたリソースを有しているとき、該特定サブフレームと同じサブフレーム（ＡＡＩ  ｓｕｂｆｒａｍｅ）に対して割当周期フィールドが０ｂ１１１１に設定された上りリンクＭ２Ｍ持続的割当Ａ−ＭＡＰ  ＩＥを受信すると（Ｓ３１０）、当該上りリンクＭ２Ｍ持続的割当Ａ−ＭＡＰ  ＩＥが受信されるサブフレームで指示されるリソース（すなわち、再割当されたリソース）が既存の持続的割当リソースを代替するようになる。したがって、Ｍ２Ｍ機器は、既存の持続的割当リソースを代替するリソースを用いて上りリンクデータを基地局に伝送できる（Ｓ３２０）。この時、Ｍ２Ｍ機器は１回のみ既存の持続的割当リソースを代替したリソースを用いて上りリンクデータを伝送できる。
【００９１】
下記の表５は、ＵＬ  Ｍ２Ｍ持続的割当Ａ−ＭＡＰ  ＩＥメッセージの他の例を表すものである。
【００９２】
【表５−１】
2014534728.tif 000011
【表５−２】
2014534728.tif 000012
【００９３】
上記の表４では、既存の割当周期フィールドを用いて１回再割当を表しているが、表５のように、１回再割当を表す新しいフィールド（例えば、１回再割当指示子（Ｏｎｅ  ｔｉｍｅ  ｒｅ−ａｌｌｏｃａｔｉｏｎ  ｉｎｄｉｃａｔｏｒ）フィールド）を定義してＵＬ  Ｍ２Ｍ持続的割当Ａ−ＭＡＰ  ＩＥに含めてもよい。
【００９４】
Ｍ２Ｍ機器がＵＬ  Ｍ２Ｍ持続的割当Ａ−ＭＡＰ  ＩＥを受信したとき、１回再割当指示子が１回再割当に設定されていると（例えば、１に設定されていると）、Ｍ２Ｍ機器は、ＵＬ  Ｍ２Ｍ持続的割当Ａ−ＭＡＰ  ＩＥメッセージが受信されるサブフレームで指示するリソース、すなわち、再割当されたリソースを用いて基地局に上りリンクデータを伝送できる（Ｓ３２０）。そして、Ｍ２Ｍ機器は、次の周期では、以前に持続的割当スケジューリングにより割り当てられたリソースを引き続き使用して上りリンクデータを基地局に伝送する（Ｓ３３０）。すなわち、当該ＵＬ  Ｍ２Ｍ持続的割当Ａ−ＭＡＰ  ＩＥにより割り当てられたリソースは現在サブフレームでのみ有効であり、この時、以前に設定された割当周期は無視されてよい。
【００９５】
第３実施例
【００９６】
１回再割当（Ｏｎｅ  ｔｉｍｅｒｅ−ａｌｌｏｃａｔｉｏｎ）は、次のように一時的再割当（ｔｅｍｐｏｒａｌ  ｒｅ−ａｌｌｏｃａｔｉｏｎ）に変形されて使用されてもよい。下記の表６は、本発明の第３実施例に係るＵＬ  Ｍ２Ｍ持続的割当Ａ−ＭＡＰ  ＩＥメッセージの一例を表すものである。
【００９７】
【表６−１】
2014534728.tif 000013
【表６−２】
2014534728.tif 000014
【００９８】
表６を参照すると、ＵＬ  Ｍ２Ｍ持続的割当Ａ−ＭＡＰ  ＩＥメッセージにおいて、該ＵＬ  Ｍ２Ｍ持続的割当Ａ−ＭＡＰ  ＩＥメッセージが一時的再割当（ｔｅｍｐｏｒａｌ  ｒｅ−ａｌｌｏｃａｔｉｏｎ）であることを表す（例えば、割当周期フィールドを０ｂ１１１１に設定した）割当周期フィールド、及び連続した再割当が起きる個数を表すＮｕｍ＿ｒｅ−ａｌｌｏｃａｔｉｏｎフィールドを含むことができる。このＵＬ  Ｍ２Ｍ持続的割当Ａ−ＭＡＰ  ＩＥメッセージは、いくつの連続した持続的割当が現在ＵＬ  Ｍ２Ｍ持続的割当Ａ−ＭＡＰ  ＩＥによって変更されるかを表すことができる。
【００９９】
Ｍ２Ｍ機器が当該ＵＬ  Ｍ２Ｍ持続的割当Ａ−ＭＡＰ  ＩＥメッセージを受信すると、Ｎｕｍ＿ｒｅ−ａｌｌｏｃａｔｉｏｎフィールドが表す個数だけの以前持続的割当が、当該ＵＬ  Ｍ２Ｍ持続的割当Ａ−ＭＡＰ  ＩＥによって割り当てられたリソースに取り替えられる。最後の再割当以降の周期からは、以前持続的割当パラメータをもって持続的割当を再開する。すなわち、Ｍ２Ｍ機器及び基地局は、以前持続的割当を再び使用する。
第４実施例
【０１００】
ＵＬ  Ｍ２Ｍ持続的割当Ａ−ＭＡＰ  ＩＥが一時的再割当を表すために割当周期フィールドを特定値（例えば、０ｂ１１１１）に設定する代わりに、一時的再割当指示子（ｔｅｍｐｏｒａｌ  ｒｅ−ａｌｌｏｃａｔｉｏｎ  ｉｎｄｉｃａｔｏｒ）フィールドを新しく定義してＵＬ  Ｍ２Ｍ持続的割当Ａ−ＭＡＰ  ＩＥメッセージに含めてもよい。
【０１０１】
下記の表７は、本発明の第４実施例に係るＵＬ  Ｍ２Ｍ持続的割当Ａ−ＭＡＰ  ＩＥメッセージの一例を表すものである。
【０１０２】
【表７−１】
2014534728.tif 000015
【表７−２】
2014534728.tif 000016
【０１０３】
表７を参照すると、ＵＬ  Ｍ２Ｍ持続的割当Ａ−ＭＡＰ  ＩＥメッセージは、一時的再割当であるか否かを表すために、一時的再割当指示子（Ｔｅｍｐｒｏａｌ  ｒｅ−ａｌｌｏｃａｔｉｏｎ  ｉｎｄｉｃａｔｏｒ）フィールドを含むことができる。
【０１０４】
もし、一時的再割当指示子フィールドが一時的再割当を表す（例えば、一時的再割当指示子が０ｂ１に設定される）と、ＵＬ  Ｍ２Ｍ持続的割当Ａ−ＭＡＰ  ＩＥメッセージは、いくつの連続した持続的割当が現在ＵＬ  Ｍ２Ｍ持続的割当Ａ−ＭＡＰ  ＩＥによって変更されるかを表す情報を含むことができる。Ｎｕｍ＿ｒｅ−ａｌｌｏｃａｔｉｏｎフィールドが表す個数だけの以前持続的割当が、ＵＬ  Ｍ２Ｍ持続的割当Ａ−ＭＡＰ  ＩＥによって割り当てられたリソースに取り替えられる。Ｍ２Ｍ機器は、当該ＵＬ  Ｍ２Ｍ持続的割当Ａ−ＭＡＰ  ＩＥメッセージのＮｕｍ＿ｒｅ−ａｌｌｏｃａｔｉｏｎフィールドが表す個数分だけ、当該ＵＬ  Ｍ２Ｍ持続的割当Ａ−ＭＡＰ  ＩＥメッセージによって割り当てられた代替された割当リソースを用いて上りリンクデータを基地局に伝送する。すなわち、以前持続的割当が、ＵＬ  Ｍ２Ｍ持続的割当Ａ−ＭＡＰ  ＩＥによって割り当てられたリソースに取り替えられる。
【０１０５】
以降、最後の再割当の後、次の周期からは、以前持続的割当パラメータをもって持続的割当を再開する。すなわち、Ｍ２Ｍ機器及び基地局は、以前持続的割当を再び使用する。
【０１０６】
特定時点に、長い周期持続的スケジューリングによって割り当てられたリソースが、他のトラフィック（他のＭ２Ｍ機器又は端末のＶｏＩＰトラフィック）に対する持続的割当によって又は他のトラフィック（他のＭ２Ｍ機器又は端末の実時間トラフィック（ｒｅａｌ−ｔｉｍｅ  ｔｒａｆｆｉｃ））の伝送のために位置を変更しようとするとき、当該サブフレームで割り当てるリソースがないと、基地局は、現在サブフレームに対する持続的割当を割当解除した後、現在サブフレーム以降のフレームに再び割り当てらなければならない。この時、基地局がＭ２Ｍ機器に現在サブフレームで持続的割当を割当解除するということを知らせなければならない。この場合、基地局は次のような方法を利用することができる。
【０１０７】
基地局は、リソースインデックスが０ｂ０００００００００００に設定された上りリンク基本割当Ａ−ＭＡＰ  ＩＥ（ＵＬ  ｂａｓｉｃ  ａｓｓｉｇｎｍｅｎｔ  Ａ−ＭＡＰ  ＩＥ）をＭ２Ｍ機器に伝送する。もし、Ｍ２Ｍ機器が、当該値（０）に設定されたリソースインデックスが含まれた上りリンク基本割当Ａ−ＭＡＰ  ＩＥを受信し、且つこの上りリンク基本割当Ａ−ＭＡＰ  ＩＥに表された上りリンクサブフレームで上りリンク持続的割当になっていると、Ｍ２Ｍ機器は、割り当てられたリソースを当該時点にのみ解除し、次の周期からは持続的割当リソースを引き続き利用する。
【０１０８】
基地局は、Ｍ２Ｍ機器に上りリンク持続的割当が割り当てられた時点に、Ｍ２Ｍ機器に対する上りリンクＨＡＲＱが動作していないと（すなわち、当該サブフレームで再伝送がないと）、リソースインデックスフィールドが０ｂ１１１１１１１１１１１に設定された上りリンク基本割当Ａ−ＭＡＰ  ＩＥ（ＵＬ  ｂａｓｉｃ  ａｓｓｉｇｎｍｅｎｔ  Ａ−ＭＡＰ  ＩＥ）メッセージをＭ２Ｍ機器に伝送する。
【０１０９】
Ｍ２Ｍ機器は、当該リソースインデックスフィールド（全てのビットが１に設定されている）を含むりリンク基本割当Ａ−ＭＡＰ  ＩＥメッセージを受信した時、上りリンクＨＡＲＱが動作しておらず（すなわち、再伝送する上りリンクバーストがなく）、上りリンク持続的割当が割り当てられていれば、当該サブフレームでのみ、割り当てられている上りリンク持続的割当を割当解除し、次の周期からは持続的割当リソースを引き続き利用する。
【０１１０】
以上説明した通り、本発明の様々な実施例によれば、特定時点に長い周期持続的スケジューリングによって割り当てられたリソース領域が既存の端末トラフィックによって占有される時、基地局は、当該位置を效率的に１回又は一時的に何回か変えることによって、スケジューリングの複雑度を減らし、リソースホールができることを防止することが可能になる。
【０１１１】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１１２】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【図１】
2014534728.tif 000017
【図２】
2014534728.tif 000018
【図３】
2014534728.tif 000019
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
無線通信システムにおいて基地局（ＢＳ）で持続的スケジューリング変更情報を伝送する方法であって、前記方法は、
Ｍ２Ｍ（ｍａｃｈｉｎｅ−ｔｏ−ｍａｃｈｉｎｅ）機器に対する持続的割当周期を含む割当周期情報を含んでいるメッセージを前記Ｍ２Ｍ機器に伝送することであって、前記割当周期情報が特定値に設定される場合に、前記割当周期情報は、一時的変更又は１回再割当を指示し、前記割当周期情報が前記一時的変更又は１回再割当を指示する場合に、前記メッセージは、変更されたリソース割当情報をさらに含む、ことと、
前記変更されたリソース割当情報によって指示されたリソースを通じて前記Ｍ２Ｍ機器からＵＬデータを受信することと
を含む、方法。
【請求項２】
前記設定された特定値は、０ｂ１１１１である、請求項１に記載の方法。
【請求項３】
前記メッセージは、ＵＬ  Ｍ２Ｍ持続的割当Ａ−ＭＡＰ  ＩＥ（情報構成要素）メッセージである、請求項１に記載の方法。
【請求項４】
前記変更されたリソース割当情報によって指示されたリソースを通じて前記Ｍ２Ｍ機器からＵＬデータを受信した後に、前記メッセージが以降の周期から受信される前に割り当てられた持続的リソースを通じてＵＬデータを受信することをさらに含む、請求項１に記載の方法。
【請求項５】
前記変更されたリソース割当情報によって指示されたリソースは、前記メッセージが伝送されるサブフレームと同じサブフレームに対して既存に持続的に割り当てられたリソースを一時的又は１回代替する、請求項１に記載の方法。
【請求項６】
無線通信システムにおいてＭ２Ｍ（ｍａｃｈｉｎｅ−ｔｏ−ｍａｃｈｉｎｅ）機器で持続的スケジューリング変更情報を受信する方法であって、前記方法は、
ＢＳから、持続的割当周期を含む割当周期情報を含んでいるメッセージを受信することであって、前記割当周期情報が特定値に設定される場合に、前記割当周期情報は、一時的変更又は１回再割当を指示し、前記割当周期情報が前記一時的変更又は１回再割当を指示する場合に、前記メッセージは、変更されたリソース割当情報をさらに含む、ことと、
前記変更されたリソース割当情報によって指示されたリソースを通じて前記ＢＳにＵＬデータを伝送することと
を含む、方法。
【請求項７】
前記設定された特定値は、０ｂ１１１１である、請求項６に記載の方法。
【請求項８】
前記メッセージは、ＵＬ  Ｍ２Ｍ持続的割当Ａ−ＭＡＰ  ＩＥ（情報構成要素）メッセージである、請求項６に記載の方法。
【請求項９】
前記変更されたリソース割当情報によって指示されたリソースを通じて前記ＢＳにＵＬデータを伝送した後に、以降の周期から前記メッセージを受信する前に持続的に割り当てられた持続的リソースを通じてＵＬデータを伝送することをさらに含む、請求項６に記載の方法。
【請求項１０】
前記変更されたリソース割当情報によって指示されたリソースは、前記メッセージが伝送されるサブフレームと同じサブフレームに対して既存に持続的に割り当てられたリソースを一時的又は１回代替する、請求項６に記載の方法。
【請求項１１】
無線通信システムにおいて持続的スケジューリング変更情報を受信するＭ２Ｍ（ｍａｃｈｉｎｅ−ｔｏ−ｍａｃｈｉｎｅ）機器であって、前記Ｍ２Ｍ機器は、
ＢＳから、持続的割当周期を含む割当周期情報を含んでいるメッセージを受信するように構成された受信器であって、前記割当周期情報が特定値に設定される場合に、前記割当周期情報は、一時的変更又は１回再割当を指示し、前記割当周期情報が前記一時的変更又は１回再割当を指示する場合に、前記メッセージは、変更されたリソース割当情報をさらに含む、受信器と、
前記変更されたリソース割当情報によって指示されたリソースを通じて前記ＢＳにＵＬデータを伝送するように構成された送信器と
を含む、Ｍ２Ｍ機器。
【請求項１２】
プロセッサをさらに含み、
前記プロセッサは、前記変更されたリソース割当情報によって指示されたリソースを通じて前記ＢＳにＵＬデータを伝送した後に、前記メッセージが受信される前に割り当てられた持続的リソースを通じてＵＬデータを伝送するように前記送信器を制御するように構成されており、
前記送信器は、前記ＵＬデータを前記ＢＳに伝送した後に、前記メッセージが受信される前に割り当てられた持続的リソースを通じてＵＬデータを伝送するようにさらに構成されている、請求項１１に記載のＭ２Ｍ機器。
【請求項１３】
無線通信システムにおいて持続的スケジューリング変更情報を伝送する基地局であって、前記基地局は、
Ｍ２Ｍ（ｍａｃｈｉｎｅ−ｔｏ−ｍａｃｈｉｎｅ）機器に対する持続的割当周期を含む割当周期情報を含んでいるメッセージを前記Ｍ２Ｍ機器に伝送するように構成された送信器であって、前記割当周期情報が特定値に設定される場合に、前記割当周期情報は、一時的変更又は１回再割当を指示し、前記割当周期情報が前記一時的変更又は１回再割当を指示する場合に、前記メッセージは、変更されたリソース割当情報をさらに含む、送信器と、
前記変更されたリソース割当情報によって指示されたリソースを通じて前記Ｍ２Ｍ機器からＵＬデータを受信するように構成された受信器と
を含む、基地局。
【請求項１４】
前記受信器は、前記変更されたリソース割当情報によって指示されたリソースを通じて前記Ｍ２Ｍ機器からＵＬデータを受信した後に、前記メッセージが以降の周期から受信される前に割り当てられた持続的リソースを通じてＵＬデータを受信するようにさらに構成されている、請求項１３に記載の基地局。
【請求項１５】
前記変更されたリソース割当情報によって指示されたリソースは、前記メッセージが伝送されるサブフレームと同じサブフレームに対して既存に持続的に割り当てられたリソースを一時的又は１回代替する、請求項１３に記載の基地局。
【請求項１６】
前記設定された特定値は、０ｂ１１１１である、請求項１３に記載の基地局。
【手続補正２】
【補正対象書類名】明細書
【補正対象項目名】００１６
【補正方法】変更
【補正の内容】
【００１６】
上記のさらに他の技術的課題を達成するための、本発明に係る無線通信システムにおいて持続的スケジューリング（ｐｅｒｓｉｓｔｅｎｔ  ｓｃｈｅｄｕｌｉｎｇ）変更情報を受信するＭ２Ｍ（Ｍａｃｈｉｎｅ−ｔｏ−Ｍａｃｈｉｎｅ）機器は、基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信する受信器を備え、前記割当周期情報が特定値に設定された場合は、前記Ｍ２Ｍ機器のための上りリンク持続的割当の一時的変更又は１回再割当を指示し、前記割当周期情報が前記Ｍ２Ｍ機器のための上りリンク持続的割当の一時的変更又は１回再割当を指示する場合に、前記メッセージは、変更されたリソース割当情報をさらに含むことができる。前記Ｍ２Ｍ機器は、前記変更されたリソース割当情報が指示するリソースを用いて前記基地局に上りリンクデータを伝送する送信器をさらに具備することができ、前記送信器が前記変更されたリソースを用いて前記基地局に上りリンクデータを伝送した以降の周期からは、前記メッセージ受信以前に割り当てられた持続的割当リソースを用いて上りリンクデータを伝送するように制御するプロセッサをさらに備えることができ、前記送信器は、前記上りリンクデータを伝送した以降の周期からは、前記メッセージ受信以前に割り当てられた持続的割当リソースを用いて上りリンクデータを伝送する。
本願明細書は、例えば、以下の項目も提供する。
（項目１）
無線通信システムにおいて基地局が持続的スケジューリング（ｐｅｒｓｉｓｔｅｎｔ  ｓｃｈｅｄｕｌｉｎｇ）変更情報を伝送する方法であって、
Ｍ２Ｍ（Ｍａｃｈｉｎｅ−ｔｏ−Ｍａｃｈｉｎｅ）機器に対する持続的割当周期（ｐｅｒｓｉｓｔｅｎｔ  ａｌｌｏｃａｔｉｏｎ  ｐｅｒｉｏｄ）を含む割当周期情報を含んでいるメッセージを前記Ｍ２Ｍ機器に伝送することを具備し、
前記割当周期情報が特定値に設定された場合は、前記Ｍ２Ｍ機器のための上りリンク持続的割当の一時的変更又は１回再割当を指示し、
前記割当周期情報が前記Ｍ２Ｍ機器のための上りリンク持続的割当の一時的変更又は１回再割当を指示する場合に、前記メッセージは、変更されたリソース割当情報をさらに含むことを特徴とする、持続的スケジューリング変更情報伝送方法。
（項目２）
前記設定された特定値は、０ｂ１１１１であることを特徴とする、項目１に記載の持続的スケジューリング変更情報伝送方法。
（項目３）
前記メッセージは、上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）タイプであることを特徴とする、項目１に記載の持続的スケジューリング変更情報伝送方法。
（項目４）
前記変更されたリソース割当情報が指示するリソースを用いて前記Ｍ２Ｍ機器から上りリンクデータを受信することをさらに具備することを特徴とする、項目１に記載の持続的スケジューリング変更情報伝送方法。
（項目５）
前記変更されたリソースを用いて前記Ｍ２Ｍ機器から上りリンクデータを受信した後、以降の周期からは、前記メッセージ受信以前に割り当てた持続的割当リソースを用いて上りリンクデータを受信することをさらに具備する、項目４に記載の持続的スケジューリング変更情報伝送方法。
（項目６）
前記変更されたリソースは、前記メッセージが伝送されるサブフレームと同じサブフレームに対して既存に持続的割り当てられたリソースを一時的又は１回代替することを特徴とする、項目１に記載の持続的スケジューリング変更情報伝送方法。
（項目７）
無線通信システムにおいてＭ２Ｍ（Ｍａｃｈｉｎｅ−ｔｏ−Ｍａｃｈｉｎｅ）機器が持続的スケジューリング（ｐｅｒｓｉｓｔｅｎｔ  ｓｃｈｅｄｕｌｉｎｇ）変更情報を受信する方法であって、
基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信することを具備し、
前記割当周期情報が特定値に設定された場合は、前記Ｍ２Ｍ機器のための上りリンク持続的割当の一時的変更又は１回再割当を指示し、
前記割当周期情報が前記Ｍ２Ｍ機器のための上りリンク持続的割当の一時的変更又は１回再割当を指示する場合に、前記メッセージは、変更されたリソース割当情報をさらに含むことを特徴とする、持続的スケジューリング変更情報受信方法。
（項目８）
前記設定された特定値は、０ｂ１１１１であることを特徴とする、項目７に記載の持続的スケジューリング変更情報受信方法。
（項目９）
前記メッセージは、上りリンクＭ２Ｍ持続的割当Ａ−ＭＡＰ  ＩＥ（ＵＬ  Ｍ２Ｍ  Ｐｅｒｓｉｓｔｅｎｔ  Ａｌｌｏｃａｔｉｏｎ  Ａ−ＭＡＰ  ＩＥ）タイプであることを特徴とする、項目７に記載の持続的スケジューリング変更情報受信方法。
（項目１０）
前記変更されたリソース割当情報が指示するリソースを用いて前記基地局に上りリンクデータを伝送することをさらに具備することを特徴とする、項目７に記載の持続的スケジューリング変更情報受信方法。
（項目１１）
前記変更されたリソースを用いて前記基地局に上りリンクデータを伝送した後、以降の周期からは、前記メッセージ受信以前に割り当てられた持続的割当リソースを用いて上りリンクデータを伝送することをさらに具備する、項目１０に記載の持続的スケジューリング変更情報受信方法。
（項目１２）
前記変更されたリソースは、前記メッセージを受信したサブフレームと同じサブフレームに対して既存に持続的割り当てられたリソースを一時的又は１回代替することを特徴とする、項目１１に記載の持続的スケジューリング変更情報受信方法。
（項目１３）
無線通信システムにおいて持続的スケジューリング（ｐｅｒｓｉｓｔｅｎｔ  ｓｃｈｅｄｕｌｉｎｇ）変更情報を受信するＭ２Ｍ（Ｍａｃｈｉｎｅ−ｔｏ−Ｍａｃｈｉｎｅ）機器であって、
基地局から持続的割当周期（ｐｅｒｓｉｓｔｅｎｔ  ａｌｌｏｃａｔｉｏｎ  ｐｅｒｉｏｄ）を含む割当周期情報を含んでいるメッセージを受信する受信器を備え、
前記割当周期情報が特定値に設定された場合は、前記Ｍ２Ｍ機器のための上りリンク持続的割当の一時的変更又は１回再割当を指示し、
前記割当周期情報が前記Ｍ２Ｍ機器のための上りリンク持続的割当の一時的変更又は１回再割当を指示する場合に、前記メッセージは、変更されたリソース割当情報をさらに含むことを特徴とする、Ｍ２Ｍ機器。
（項目１４）
前記変更されたリソース割当情報が指示するリソースを用いて前記基地局に上りリンクデータを伝送する送信器をさらに備えることを特徴とする、項目１３に記載のＭ２Ｍ機器。
（項目１５）
前記プロセッサは、前記送信器が前記変更されたリソースを用いて前記基地局に上りリンクデータを伝送した以降の周期からは、前記メッセージ受信以前に割り当てられた持続的割当リソースを用いて上りリンクデータを伝送するように制御し、
前記送信器は、前記上りリンクデータを伝送した以降の周期からは、前記メッセージ受信以前に割り当てられた持続的割当リソースを用いて上りリンクデータを伝送する、項目１４に記載のＭ２Ｍ機器。
【国際調査報告】
2014534728.tif 000020
2014534728.tif 000021
2014534728.tif 000022
2014534728.tif 000023
2014534728.tif 000024
2014534728.tif 000025
2014534728.tif 000026
2014534728.tif 000027
2014534728.tif 000028
2014534728.tif 000029